(57)【要約】      （修正有）【課題】太番線を高いトルクで締め付ける場合にあっても、捩れを抑制してトルクを効果的に作用させる回転工具用太番線締め付け治具を提供する。【解決手段】回転工具Ａの回転駆動される治具固定具Ｂに装着されて、治具固定具を回転させることにより太番線を捩って締め付ける太番線締め付け治具１であって、先端に太番線が絡められるフック部１ａが形成され、基端に治具固定具へ嵌合固定される装着部１ｂが形成され、フック部と装着部との間に、より大きな外径を有する大径部１ｃが形成されている。【選択図】図２
0003210812.tif 000002
【実用新案登録請求の範囲】
【請求項１】
回転工具の回転駆動される治具固定具に装着されて、この治具固定具によって回転させられることにより太番線を捩って締め付けるようにした太番線締め付け治具であって、先端に前記太番線が絡められるフック部が形成され、基端に前記治具固定具へ嵌合固定される装着部が形成され、前記フック部と前記装着部との間に、これらのフック部および装着部の外径よりも大きな外径を有する大径部が形成されていることを特徴とする回転工具用太番線締め付け治具。
【請求項２】
前記装着部が、前記治具固定具に嵌合固定された状態において、前記大径部を前記治具固定具の至近位置に位置させる長さに形成されていることを特徴とする請求項１に記載の回転工具用太番線締め付け治具。
【請求項３】
前記装着部が、前記大径部と別体に構成されているとともに、断面が非真円形状に形成され、前記大径部には、その基端側から前記装着部が嵌合させられる凹部が形成され、かつ、この凹部の断面形状が前記装着部の断面形状と略同一形状となされていることを特徴とする請求項１または請求項２に記載の回転工具用太番線締め付け治具。
【請求項４】
前記装着部の断面形状が正６角形となされていることを特徴とする請求項３に記載の回転工具用太番線締め付け治具。
【請求項５】
前記大径部と前記フック部との間に、前記大径部から前記フック部へ向かって漸次断面形状が減少する応力調整部が設けられていることを特徴とする請求項１ないし請求項４の何れかに記載の回転工具用太番線締め付け治具。
【考案の詳細な説明】
【技術分野】
【０００１】
本考案は、番線の結束作業を、回転工具を用いて行なう際に用いられる結束ジグに係わり、特に、太番線の結束に好適に用いられる回転工具用太番線締め付け治具に関する。
【背景技術】
【０００２】
一般に、建設現場等においては種々の部材を番線で結束することが行なわれている。
たとえば、鉄筋を組み上げる際には、この鉄筋の交差部を比較的細めの結束線によって結束することが行なわれている。
【０００３】
前述した結束作業は人力によって行なわれることが多いが、たとえば、特許文献１に示されるように、結束作業の負担軽減や結束状態を高品質に保つこと等を目的として、前記番線を、回転工具を用いて結束する技術も提案されている。
【０００４】
この技術は、回転工具に番線結束用の治具を取り付け、この治具に前記番線を絡めるとともに、この治具を前記回転工具によって回転させることにより、前記番線を捩って前記鉄筋の結束を行なうようにしている。
【先行技術文献】
【特許文献】
【０００５】
【特許文献１】実用新案登録第３１７０７６４号公報
【考案の概要】
【考案が解決しようとする課題】
【０００６】
前述した技術によって、前記番線の捻りを、回転工具を用いて行なうことにより、作業者の負担が軽減され、また、捻り具合を極力一定にして均一な結束を行なうことができるようになった。
【０００７】
しかしながら、このような技術においても、なお、次のような改善すべき問題点が残されている。
【０００８】
すなわち、前述した技術は、比較的細めの番線を対象にした治具を用いていることにより、太めの番線の捻りには適さないといった問題点である。
【０００９】
すなわち、太めの番線を捩るには、その太さに応じて大きなトルクが必要となり、この大きなトルクを、前述したような比較的細めの番線を対象とした治具にかけると、この治具自体に捩れが発生して、前記トルクを前記番線に効果的に作用させることができない。
【００１０】
このような不具合を避けるためには、前記治具を太くして、高負荷時における前記治具の捩れを抑制する必要がある。
【００１１】
しかしながら、前記治具を固定する回転工具の治具固定具は、その固定可能な治具の太さが決められており、したがって、前記治具の太さも自ずと制限され、前述した高負荷への対応ができていないのが現状である。
【００１２】
本考案は、前述した従来の技術において残されている問題点を解決せんとしてなされたもので、規制の回転工具を用いて太番線を捩る際に、この太番線を捩るトルクを効果的に前記太番線に伝達することが可能な回転工具用太番線締め付け治具を提供することを解決すべき課題とする。
【課題を解決するための手段】
【００１３】
本考案の回転工具用太番線締め付け治具は、前述した課題を解決するために、回転工具の回転駆動される治具固定具に装着されて、この治具固定具によって回転させられることにより太番線を捩って締め付けるようにした太番線締め付け治具であって、先端に前記太番線が絡められるフック部が形成され、基端に前記治具固定具へ嵌合固定される装着部が形成され、前記フック部と前記装着部との間に、これらのフック部および装着部の外径よりも大きな外径を有する大径部が形成されていることを特徴としている。
【００１４】
このような構成とすることにより、前記回転工具用太番線締め付け治具は、その装着部を前記回転工具の治具固定具に装着することによって、前記回転工具に取り付けられる。
【００１５】
ここで、前記装着部を前記治具固定具に装着した状態において、前記大径部が前記治具固定具の近傍に位置させられて、前記装着部の前記治具固定具からの突出量が短く設定されている。
【００１６】
これより、前記フック部に太番線を絡めた状態で、前記回転工具を駆動すると、この回転工具によって前記回転工具用太番線締め付け治具が回転させられ、これに伴って、前記フック部に絡められている太番線が締め付けられる。
【００１７】
前記回転工具によって発生させられるトルクは、前記治具固定具から、前記装着部および大径部を経て前記フック部へ伝わり、このトルクによって前記太番線の締め付けが行なわれる。
【００１８】
そして、前記トルクにより、前記装着部、前記大径部、および、前記フック部のそれぞれに捩れが生じるが、前記大径部においては、その外径が太く設定されていることにより捩れ量が小さく抑えられる。
【００１９】
また、前記装着部および前記フック部においては、前記大径部が形成されている分、これらの長さが短く設定されており、これによって、これらの装着部およびフック部の捩れ量も小さく抑えられる。
【００２０】
特に、前記装着部は、前記治具固定具からの突出量が小さく抑えられていることにより捩れ領域が少なく、この結果、その捩れ量が極めて小さい。
【００２１】
このように、前記装着部、前記大径部、および、前記フック部のそれぞれの部位において捩れ量が小さく抑えられ、これによって、前記治具固定具によって与えられるトルクが前記太番線に効果的に伝わり、この太番線の締め付けが良好に行なわれる。
【００２２】
また、前記装着部を、前記大径部と別体に構成するとともに、断面を非真円形状とし、前記大径部に、その基端側から前記装着部が嵌合させられる凹部を形成し、かつ、この凹部の断面形状を前記装着部の断面形状と略同一形状とした構成とすることができる。
【００２３】
これにより、前記装着部を、前記大径部に対して着脱可能な構成とすることができる。
このような構成とすることにより、前記装着部を共通部材として、前記フック部および大径部を交換することが可能となり、締め付ける太番線の種類や結束位置等に応じて前記フック部を交換することができる。
【００２４】
前記装着部の断面や大径部の凹部の形状は、正６角形とすることが好ましい。
このような構成とすることにより、前記装着部の前記大径部との収まりを良くして、良好なトルク伝達を確保することができる。
【００２５】
また、前記大径部と前記フック部との間に、前記大径部から前記フック部へ向かって漸次断面形状が減少する応力調整部を設けることが好ましい。
【００２６】
このような構成とすることにより、前記大径部から前記フック部へトルクが伝わる際に生じる応力を、前記大径部から前記フック部へ向けて緩やかに変化させることができる。
この結果、応力集中箇所をなくして耐久性を向上させることができる。
【考案の効果】
【００２７】
本考案の回転工具用太番線締め付け治具によれば、太番線を高いトルクで締め付ける場合にあっても、捩れを抑制して前記トルクを前記太番線に効果的に作用させることができる。
【図面の簡単な説明】
【００２８】
【図１】本考案の回転工具用太番線締め付け治具の第１の実施形態を示す正面図である。
【図２】本考案の回転工具用太番線締め付け治具の第１の実施形態を示すもので、回転工具に装着した状態を示す側面図である。
【図３】本考案の回転工具用太番線締め付け治具の第１の実施形態による太番線の結束手順を示す概略図である。
【図４】本考案の回転工具用太番線締め付け治具の第１の実施形態による太番線の結束手順を示す概略図である。
【図５】本考案の回転工具用太番線締め付け治具の第１の実施形態による太番線の結束手順を示す概略図である。
【図６】本考案の回転工具用太番線締め付け治具の第２の実施形態を示す分解図である。
【図７】本考案の回転工具用太番線締め付け治具の第２の実施形態を示す正面図である。
【考案を実施するための形態】
【００２９】
以下、本考案の一実施形態を図１ないし図５を参照して説明する。
図１中、符号１は、本実施形態に係わる回転工具用太番線締め付け治具（以下、太番線締め付け具と略称する）を示す。
【００３０】
この太番線締め付け具１は、後述する回転工具Ａの回転駆動される治具固定具Ｂに装着されて、この治具固定具Ｂによって回転させられることにより太番線Ｔを捩って締め付けるようにしたもので、先端に前記太番線Ｔが絡められるフック部１ａが形成され、基端に前記治具固定具へ嵌合固定される装着部１ｂが形成され、前記フック部１ａと前記装着部１ｂとの間に、これらのフック部１ａおよび装着部１ｂの外径よりも大きな外径を有する大径部１ｃが形成された構成となっている。
【００３１】
前記フック部１ａ、前記装着部１ｂ、および、前記大径部１ｃは、本実施形態においては一体に形成されており、前記フック部１ａ、および、前記大径部１ｃの断面形状が円形となされ、前記装着部１ｂの断面形状が正６角形となされている。
【００３２】
また、前記装着部１ｂは、その長さが、この装着部１ｂを前記治具固定具Ｂに嵌合固定した状態において、前記大径部１ｃの前記装着部１ｂ側の端面を前記治具固定具Ｂの前面の至近位置に位置させる長さに形成されている。
【００３３】
すなわち、図２に示すように、前記装着部１ｂの、前記治具固定具Ｂからの突出長さｇが短くなるように設定されている。
【００３４】
さらに、本実施形態においては、前記大径部１ｃと前記フック部１ａとの間に、前記大径部１ｃから前記フック部１ｃへ向かって断面形状が漸次減少する応力調整部１ｄが設けられている。
【００３５】
このように構成された本実施形態の太番線締め付け具１は、その装着部１ｂを前記回転工具Ａの治具固定具Ｂに嵌合固定することによって、この回転工具Ａに装着される。
【００３６】
ついで、前述したように前記回転工具Ａに装着された本実施形態の太番線締め付け具１を用いて太番線Ｔを締め付ける際の手順について説明する。
【００３７】
まず、図３および図４に示すように、手作業により太番線Ｔを捩って仮締めし、その両端部を揃えておく。
【００３８】
これより、図５に示すように、前記太番線Ｔのねじり部分に前記太番線締め付け具１の前記フック部１ａを引っ掛ける。
【００３９】
次いで、前述したように揃えられた両端部を掴んだ状態で、前記太番線締め付け具１を前記回転工具Ａによって回転させることにより、前記太番線Ｔを締め付ける。
これによって、前記太番線Ｔによる結束を行なうことができる。
【００４０】
このような前記太番線締め付け具１による太番線Ｔの締め付けに際し、前記太番線締め付け具１にトルクが掛かり、このトルクが前記太番線締め付け具１に、この太番線締め付け具１を捩るように作用する。
【００４１】
ここで、前記装着部１ｂにおける捩れは、この装着部１ｂの、前記治具固定具Ｂから突出した部位に生じる。
しかしながら、前記装着部１ｂの前記治具固定具Ｂからの突出長さｇが、前述したように短く設定されていることにより、この装着部１ｂにおける捩れ量が小さく抑えられる。
【００４２】
また、前記大径部１ｃにおける捩れ量は、この大径部１ｃの外径が大きく設定されていることにより捩れ剛性が高く、この結果、この大径部１ｃにおける捩れ量が小さく抑えられる。
【００４３】
さらに、前記フック部１ａは、前記大径部１ｃを設けたことにより、前記太番線締め付け具１の全長に占める長さが短く、これによって、このフック部１ａにおける捩れ量も小さく抑えられる。
【００４４】
このように、本実施形態の太番線締め付け具１においては、その全体の捩れ量が小さく抑えられる。
この結果、前記回転工具Ａによって与えられるトルクが、前記太番線Ｔに効果的に伝達されて、この太番線Ｔの締め付けが安定して行なわれる。
【００４５】
また、本実施形態においては、前記フック部１ａと前記大径部１ｃとの間を、断面形状が漸次減少する応力調整部１ｄとしていることにより、前記大径部１ｃから前記フック部１ａへ向かう応力変化が緩やかになり、前記大径部１ｃと前記フック部１ａ間に応力集中箇所が生じることを防止して、この応力集中による破損を防止することができる。
【００４６】
なお、前記実施形態に示した形状または構成は一例であって、適用する太番線Ｔの形状、あるいは、太番線締め付け具１の設計要求等に基づき種々変更可能である。
【００４７】
たとえば、締め付ける太番線の太さが異なる場合、この太番線の太さに応じたフック部を備えた太番線締め付け具を用いる必要が生じる場合がある。
【００４８】
これに対応するために、図６に示すように、太番線締め付け具１０の装着部１０ｂを、大径部１０ｃと別体に構成するとともに、その断面を非真円形状（図示例では正６角形）に形成し、前記大径部１０ｃに、その基端側から前記装着部１０ａが嵌合させられる凹部１１を形成するとともに、この凹部１１の断面形状を前記装着部１０ａの断面形状と略同一形状とし、前記大径部１０ｃに、締め付ける太番線Ｔの形状に合わせたフック部１０ａを連設した構成とすることができる。
【００４９】
そして、図７に示すように、前記装着部１０ａを前記大径部１０ｃの前記凹部１１に嵌合させることにより、選択されたフック部１０ａを備えた太番線締め付け具１０を構成することができる。
【符号の説明】
【００５０】
１  （回転工具用）太番線締め付け具
１ａ  フック部
１ｂ  装着部
１ｃ  大径部
１ｄ  応力調整部
２  凹部
１０  太番線締め付け具
１０ａ  フック部
１０ｂ  装着部
１０ｃ  大径部
１１  凹部
Ａ  回転工具
Ｂ  治具固定具
Ｔ  太番線
【図１】
0003210812.tif 000003
【図２】
0003210812.tif 000004
【図３】
0003210812.tif 000005
【図４】
0003210812.tif 000006
【図５】
0003210812.tif 000007
【図６】
0003210812.tif 000008
【図７】
0003210812.tif 000009